(57)【要約】      （修正有）【課題】表示オブジェクトに対するユーザの集中度をより正確に把握する。【解決手段】一態様に係る評価方法は、（Ａ）少なくとも第１オブジェクトを画面内に表示する第１期間におけるユーザの第１注視点を特定し、（Ｂ）第１期間の後、少なくとも第２オブジェクトを上記画面内に表示する第２期間におけるユーザの第２注視点を特定し、（Ｃ）第１オブジェクト内の基準点から第２オブジェクト内の基準点までの第１ベクトルの向きと、第１注視点から第２注視点までの第２ベクトルの向きとの近似度を算出する処理を含む。【選択図】図１１Ａ
2016224142.tif 000002
【特許請求の範囲】
【請求項１】
少なくとも第１オブジェクトを画面内に表示する第１期間におけるユーザの第１注視点を特定し、
前記第１期間の後、少なくとも第２オブジェクトを前記画面内に表示する第２期間における前記ユーザの第２注視点を特定し、
前記第１オブジェクト内の基準点から前記第２オブジェクト内の基準点までの第１ベクトルの向きと、前記第１注視点から前記第２注視点までの第２ベクトルの向きとの近似度を算出する
処理を含み、コンピュータにより実行される評価方法。
【請求項２】
更に、
前記第２期間において前記ユーザの視線が前記第２オブジェクトの大きさに相当する範囲内に収まっていた、時間当たりの頻度を算出し、
前記近似度と前記時間当たりの頻度とに基づいて、前記ユーザの集中度を示す指標値を算出する
処理を含む請求項１記載の評価方法。
【請求項３】
更に、
少なくとも前記近似度に基づいて、前記ユーザが、前記第１オブジェクト及び前記第２オブジェクトを含むコンテンツに集中していたか否かを判定し、
判定結果に応じて、前記コンテンツの表示を制御する
処理を含む請求項１又は２記載の評価方法。
【請求項４】
少なくとも第１オブジェクトを画面内に表示する第１期間におけるユーザの第１注視点を特定し、
前記第１期間の後、少なくとも第２オブジェクトを前記画面内に表示する第２期間における前記ユーザの第２注視点を特定し、
前記第１オブジェクト内の基準点から前記第２オブジェクト内の基準点までの第１ベクトルの向きと、前記第１注視点から前記第２注視点までの第２ベクトルの向きとの近似度を算出する
処理をコンピュータに実行させるプログラム。
【請求項５】
少なくとも第１オブジェクトを画面内に表示する第１期間におけるユーザの第１注視点を特定し、前記第１期間の後、少なくとも第２オブジェクトを前記画面内に表示する第２期間における前記ユーザの第２注視点を特定する特定部と、
前記第１オブジェクト内の基準点から前記第２オブジェクト内の基準点までの第１ベクトルの向きと、前記第１注視点から前記第２注視点までの第２ベクトルの向きとの近似度を算出する算出部と
を有する評価装置。
【発明の詳細な説明】
【技術分野】
【０００１】
本発明は、表示に対するユーザの集中度を評価する技術に関する。
【背景技術】
【０００２】
或る特許文献には、教師と生徒の視線の相関状態の程度によって、授業に対する生徒の集中度を推し量ることが記載されている。
【０００３】
このように、学習者の視線を捉えることによって、集中度を推し量ろうとする場合、正しく視線を判別できなければ、集中度の推量自体が信頼できないことになる。
【先行技術文献】
【特許文献】
【０００４】
【特許文献１】特開２００１−２２８７８５号公報
【特許文献２】国際公開第２００７／０８６２２２号
【発明の概要】
【発明が解決しようとする課題】
【０００５】
本発明の目的は、一側面では、表示オブジェクトに対するユーザの集中度をより正確に把握することである。
【課題を解決するための手段】
【０００６】
一態様に係る評価方法は、（Ａ）少なくとも第１オブジェクトを画面内に表示する第１期間におけるユーザの第１注視点を特定し、（Ｂ）第１期間の後、少なくとも第２オブジェクトを上記画面内に表示する第２期間におけるユーザの第２注視点を特定し、（Ｃ）第１オブジェクト内の基準点から第２オブジェクト内の基準点までの第１ベクトルの向きと、第１注視点から第２注視点までの第２ベクトルの向きとの近似度を算出する処理を含む。
【発明の効果】
【０００７】
一側面としては、表示オブジェクトに対するユーザの集中度をより正確に把握できる。
【図面の簡単な説明】
【０００８】
【図１】図１は、視聴の様子を示す図である。
【図２】図２は、画面遷移の例を示す図である。
【図３】図３は、注視点の例を示す図である。
【図４】図４は、第１ベクトルを示す図である。
【図５】図５は、第１ベクトル及び第２ベクトルの例を示す図である。
【図６】図６は、第１ベクトル及び第２ベクトルの例を示す図である。
【図７】図７は、第１ベクトル及び第２ベクトルの例を示す図である。
【図８】図８は、情報処理装置のモジュール構成例を示す図である。
【図９Ａ】図９Ａは、プレゼンテーション処理フローの例を示す図である。
【図９Ｂ】図９Ｂは、プレゼンテーション処理フローの例を示す図である。
【図９Ｃ】図９Ｃは、プレゼンテーション処理フローの例を示す図である。
【図９Ｄ】図９Ｄは、プレゼンテーション処理フローの例を示す図である。
【図９Ｅ】図９Ｅは、プレゼンテーション処理フローの例を示す図である。
【図１０】図１０は、第１期間乃至第４期間を説明するための図である。
【図１１Ａ】図１１Ａは、評価処理フローの例を示す図である。
【図１１Ｂ】図１１Ｂは、評価処理フローの例を示す図である。
【図１２】図１２は、第１特定処理フローの例を示す図である。
【図１３】図１３は、最大の頻度について説明するための図である。
【図１４】図１４は、実施の形態２に係る画面遷移の例を示す図である。
【図１５Ａ】図１５Ａは、実施の形態２に係るプレゼンテーション処理フローの例を示す図である。
【図１５Ｂ】図１５Ｂは、実施の形態２に係るプレゼンテーション処理フローの例を示す図である。
【図１６】図１６は、実施の形態３に係る画面遷移の例を示す図である。
【図１７Ａ】図１７Ａは、実施の形態３に係るプレゼンテーション処理フローの例を示す図である。
【図１７Ｂ】図１７Ｂは、実施の形態３に係るプレゼンテーション処理フローの例を示す図である。
【図１７Ｃ】図１７Ｃは、実施の形態３に係るプレゼンテーション処理フローの例を示す図である。
【図１７Ｄ】図１７Ｄは、実施の形態３に係るプレゼンテーション処理フローの例を示す図である。
【図１８】図１８は、実施の形態４に係るプレゼンテーション処理の例を示す図である。
【図１９】図１９は、実施の形態４に係るプレゼンテーション処理の例を示す図である。
【図２０】図２０は、実施の形態５に係るプレゼンテーション処理の例を示す図である。
【図２１】図２１は、実施の形態５に係るプレゼンテーション処理の例を示す図である。
【図２２】図２２は、コンピュータの機能ブロック図である。
【発明を実施するための形態】
【０００９】
［実施の形態１］
図１に、視聴の様子を示す。本実施の形態に係るシステムでは、コンテンツ画面を表示し、併せてコンテンツ音声を出力するプレゼンテーションを行う。以下では、学習システムの例について説明する。ディスプレイ装置１０１は、コンテンツ画面を表示する。スピーカー１０２は、コンテンツ音声を出力する。ディスプレイ装置１０１の上部には、視線センサ装置１０３が設けられている。視線センサ装置１０３は、ディスプレイ装置１０１の前に着席している視聴者の目の動きを読み取り、視聴者の視線を検出する。ディスプレイ装置１０１、スピーカー１０２及び視線センサ装置１０３は、情報処理装置に接続されている。尚、視線センサ装置１０３は、顔の向きを読み取り、視聴者の視線を検出するものであってもよい。
【００１０】
情報処理装置は、コンテンツデータに基づいて、プレゼンテーション処理を行う。更に、情報処理装置は、プレゼンテーションを行っている間に、視線センサ装置１０３によって検出された視線の先が、ディスプレイ装置１０１の表示面におけるどの位置を指しているかを計測する。情報処理装置は、そして、その計測結果に基づいて、視聴者によるコンテンツへの集中度の指標となる値（以下、集中度の指標値という。）を求める。
【００１１】
このように、情報処理装置は、視聴者がコンテンツに集中しているかを評価する処理も行い、更にプレゼンテーション処理において、評価結果のフィードバックを受けて出力の流れを制御する。
【００１２】
尚、視聴者の視線の先が指す表示上の点は、視聴者の視線とディスプレイ装置１０１の表示面との交点に相当する。従って、以下では視聴者の視線の先が指す表示上の点を、単に交点という。
【００１３】
また、一般的に、視線センサ装置１０３を用いた交点の検出が正確になるように、キャリブレーションが行われる。但し、キャリブレーションが有効であるのは、視聴者の目とディスプレイ装置１０１との位置関係が、キャリブレーションを行ったときと変わらないことが前提となる。つまり、ディスプレイ装置１０１が動かなくとも、視聴者はコンテンツの視聴中に体勢を変えると、視聴者の目とディスプレイ装置１０１との位置関係が当初と異なるようになる。そして、実際に注視している点と、検出した交点とがずれることがある。
【００１４】
本実施の形態では、このように視聴者の目の位置が移動し、交点を正しく検出できない場合であっても、より正しくコンテンツへの集中度を評価できるようにする。
【００１５】
尚、この例における情報処理装置は、ディスプレイ装置１０１、スピーカー１０２及び視線センサ装置１０３と分離したパーソナルコンピュータ又はサーバ装置である。但し、情報処理装置は、ディスプレイ装置１０１、スピーカー１０２及び視線センサ装置１０３と一体となったノートブックパーソナルコンピュータ、タブレット端末又はスマートフォンであってもよい。更に、ディスプレイ装置１０１は、プロジェクタのような投影型の表示装置であってもよい。
【００１６】
次に、この例において学習システムによって提示されるコンテンツの例について説明する。図２に、画面遷移の例を示す。この例におけるコンテンツは、学習教材であって、テーマＳ及びテーマＴについて説明するものである。テーマＳは、項目Ａ及び項目Ｂを含む。また、テーマＴは、項目Ｃ及び項目Ｄを含む。このコンテンツは、最初にテーマＳを説明し、次にテーマＴを説明し、最後に視聴者の集中度に応じてテストを行う。
【００１７】
この例では、テーマを２つとしているが、３つ以上のテーマを扱うようにしてもよい。更に、テーマに含まれる項目は、２つに限らず、３つ以上であってもよい。
【００１８】
図２の１段目は、テーマＳを説明するためのページを示している。テーマＳを説明するためのページの左上には、項目Ａに関する第１ウィンドウ２０１が設けられている。第１ウィンドウ２０１には、項目Ａについての説明文が表示されているものとする。但し、説明文とともに、あるいは説明文に代えて項目Ａを理解するための画像が表示されていてもよい。
【００１９】
第１ウィンドウ２０１を表示している状態で、項目Ａについて説明する音声が出力される。音声は、話者の音声を録音したデータを再生したものでもよいし、テキストデータを読み上げる合成音声であってもよい。このコンテンツの制作者は、視聴者が第１ウィンドウ２０１を見ながら、項目Ａについて説明する音声を聞くことによって、項目Ａに対して理解が深まることを企図している。
【００２０】
項目Ａについて説明する音声の出力を終えると、図２の２段目に示すように、テーマＳを説明するためのページの右下に項目Ｂに関する第２ウィンドウ２０３が新たに設けられる。第２ウィンドウ２０３には、項目Ｂについての説明文が表示されているものとする。
【００２１】
第２ウィンドウ２０３を表示している状態で、項目Ｂについて説明する音声が出力される。このコンテンツの制作者は、視聴者が第２ウィンドウ２０３を見ながら、項目Ｂについて説明する音声を聞くことによって、項目Ｂに対して理解が深まることを企図している。
【００２２】
このように、項目Ａの説明から項目Ｂの説明に切り替わるタイミングで、視聴者の注視点は、第１ウィンドウ２０１内から第２ウィンドウ２０３内へと移ると想定される。
【００２３】
そして、項目Ｂについて説明する音声の出力を終えると、図２の３段目に示すように、テーマＳを説明するためのページから、テーマＴを説明するためのページへ切り替わる。テーマＴを説明するためのページの右上には、項目Ｃに関する第３ウィンドウ２０５が設けられている。第３ウィンドウ２０５には、項目Ｃについての説明文が表示されているものとする。
【００２４】
第３ウィンドウ２０５を表示している状態で、項目Ｃについて説明する音声が出力される。このコンテンツの制作者は、視聴者が第３ウィンドウ２０５を見ながら、項目Ｃについて説明する音声を聞くことによって、項目Ｃに対して理解が深まることを企図している。
【００２５】
項目Ｃについて説明する音声の出力を終えると、図２の４段目に示すように、テーマＴを説明するためのページの左下に項目Ｄに関する第４ウィンドウ２０７が新たに設けられる。第４ウィンドウ２０７には、項目Ｄについての説明文が表示されているものとする。
【００２６】
第４ウィンドウ２０７を表示している状態で、項目Ｄについて説明する音声が出力される。このコンテンツの制作者は、視聴者が第４ウィンドウ２０７を見ながら、項目Ｄについて説明する音声を聞くことによって、項目Ｄに対して理解が深まることを企図している。
【００２７】
このように、項目Ｃの説明から項目Ｄの説明に切り替わるタイミングで、視聴者の注視点は、第３ウィンドウ２０５内から第４ウィンドウ２０７内へと移ると想定される。
【００２８】
注視点の移動が、コンテンツの制作における企図に沿っている場合、視聴者はコンテンツに集中していて、企図通りに学習しているものと推測される。一方、注視点の移動が、コンテンツの制作における企図に沿っていない場合、視聴者はコンテンツに集中しておらず、企図通りに学習していないものと推測される。そこで、本実施の形態では、上述したように説明が切り替わるタイミングにおける視聴者の注視点の動きに基づいて、視聴者がコンテンツに集中していたか否かを判定し、その判定結果に基づいてテストを行う。
【００２９】
図２の１段目から２段目に切り替わるタイミングにおける視聴者の注視点の動きに基づいて、情報処理装置が、視聴者はテーマＳに集中していなかったと判定した場合には、５段目の左側に示すように、テーマＳについてのテストが行われる。一方、情報処理装置が、視聴者はテーマＳに集中していたと判定した場合には、テーマＳについてのテストは行われない。
【００３０】
同様に、図２の３段目から４段目に切り替わるタイミングにおける視聴者の注視点の動きに基づいて、情報処理装置が、視聴者はテーマＴに集中していなかったと判定した場合には、５段目の右側に示すように、テーマＴについてのテストが行われる。一方、情報処理装置が、視聴者はテーマＴに集中していたと判定した場合には、テーマＴについてのテストは行われない。以上で、画面遷移についての説明を終える。
【００３１】
本実施の形態では、例えば図２の１段目から２段目への切り替わりに関して、視線を誘導しているレイアウト上の距離及び方向を第１ベクトルで表し、実際の計測に基づく注視点の動きを第２ベクトルで表す。そして、第１ベクトルの向きと第２ベクトルの向きが近似する場合に、視聴者はコンテンツに集中しているものと推定する。
【００３２】
続いて、情報処理装置において、視聴者による注視点を定める方法について説明する。視線センサ装置１０３は、１秒間に例えば数十回の検出を行う。また、検出結果は、視聴者が意識しているよりも大きくばらつく。本実施の形態では、検出された複数の交点に基づいて、視聴者が意識的に見ていると思われる点を注視点として特定する。
【００３３】
図３に、計測された複数の交点と当該交点から導かれる注視点との例を示す。この例における座標系の原点は、表示面の左上端点である。そして、右方向にＸ座標の正方向が設定され、下方向にＹ座標の正方向が設定されている。
【００３４】
この例は、図２の１段目に示した状態における第１注視点３０５と、図２の２段目に示した状態における第２注視点３０７との例を示している。
【００３５】
第１注視点３０５は、表示面の左上近辺で検出された交点３０１ａ、交点３０１ｂ、交点３０１ｃ及び交点３０１ｄに基づいて特定されたものとする。実際には、もっと多くの交点３０１が広範囲に検出されるが、ここでは説明の便宜のために、４つの交点３０１に着目するものとする。
【００３６】
交点３０１ａ、交点３０１ｂ、交点３０１ｃ及び交点３０１ｄには、それぞれ周辺領域３０３が設定される。具体的には、交点３０１ａに対して、周辺領域３０３ａが設定され、交点３０１ｂに対して、周辺領域３０３ｂが設定され、交点３０１ｃに対して、周辺領域３０３ｃが設定され、更に交点３０１ｄに対して、周辺領域３０３ｄが設定されている。
【００３７】
そして、太線で示した領域は、周辺領域３０３ａ、周辺領域３０３ｂ、周辺領域３０３ｃ及び周辺領域３０３ｄに含まれた頻度が最も多いところを示している。この例では、この領域が周辺領域と重なった頻度は４である。そして、この領域の重心が第１注視点３０５である。
【００３８】
一方、第２注視点３０７は、表示面の右下近辺で検出された交点３０１ｅ、交点３０１ｆ、交点３０１ｇ及び交点３０１ｈに基づいて特定されたものとする。交点３０１ｅに対して、周辺領域３０３ｅが設定され、交点３０１ｆに対して、周辺領域３０３ｆが設定され、交点３０１ｇに対して、周辺領域３０３ｇが設定され、更に交点３０１ｈに対して、周辺領域３０３ｈが設定されている。
【００３９】
そして、太線で示した領域は、周辺領域３０３ｅ、周辺領域３０３ｆ、周辺領域３０３ｇ及び周辺領域３０３ｈに含まれた頻度が最も多いところを示している。この例では、この領域が周辺領域と重なった頻度は４である。そして、この領域の重心が第２注視点３０７である。
【００４０】
これらの結果を受けて、第２ベクトル３０９が定まる。第２ベクトル３０９は、第１注視点３０５を始点とし、第２注視点３０７を終点とする。
【００４１】
次に、図４を用いて、第１ベクトル４０５について説明する。第１ベクトル４０５は、第１ウィンドウ２０１の基準点４０１を始点とし、第２ウィンドウ２０３の基準点４０３を終点とする。この例における第１ウィンドウ２０１の基準点４０１は、第１ウィンドウ２０１における重心である。同じく第２ウィンドウ２０３の基準点４０３は、第２ウィンドウ２０３における重心である。
【００４２】
キャリブレーションを行ったときと同じ体勢で、視聴者がコンテンツに集中している場合には、第２ベクトル３０９は、ほぼ第１ベクトル４０５と一致する。つまり、第１注視点３０５は、第１ウィンドウ２０１の基準点４０１とほぼ一致し、第２注視点３０７は、第２ウィンドウ２０３の基準点４０３とほぼ一致する。
【００４３】
一方、視聴者がコンテンツに集中していない場合には、キャリブレーションを行ったときと同じ体勢であったとしても、第２ベクトル３０９は第１ベクトル４０５と一致しない。
【００４４】
視聴者がコンテンツに集中していない場合における第１ベクトル４０５及び第２ベクトル３０９ａの例を、図５に示す。図２の１段目に示した状態において、視聴者は第１ウィンドウ２０１内を主に見ていたものとする。そのため、第１注視点３０５ａは、第１ウィンドウ２０１内に収まっている。しかし、図２の２段目に示した状態に移った段階で、視聴者がよそ見をしたため、第２注視点３０７ａは、第２ウィンドウ２０３内に収まっていない。このようなケースでは、第１ベクトル４０５の向きと第２ベクトル３０９ａの向きとは、異なる。
【００４５】
次に、視聴者が前のめりの体勢、つまり視聴者の目の位置がキャリブレーションのときよりもディスプレイ装置１０１の表示面に近づいている状態を想定する。図６に、この状態における第１ベクトル４０５及び第２ベクトル３０９ｂの例を示す。この例で、視聴者は、図２の１段目に示した状態において第１ウィンドウ２０１内を主に見て、図２の２段目に示した状態において第２ウィンドウ２０３内を主に見ていたものとする。
【００４６】
第１注視点３０５ｂは、基準点４０１から上方向にずれている。第２注視点３０７ｂは、基準点４０３から右上方向にずれている。そして、第２ベクトル３０９ｂは、第１ベクトル４０５よりも大きい。従って、第１注視点３０５ｂと基準点４０１との位置の比較、第２注視点３０７ｂと基準点４０３との位置の比較及び第２ベクトル３０９ｂと第１ベクトル４０５との比較のいずれにおいても、近似しない。
【００４７】
しかし、第２ベクトル３０９ｂの向きと第１ベクトル４０５の向きとは、近似している。本実施の形態は、この特性に基づく。
【００４８】
図７に、視聴者が後ろに引いた体勢、つまり視聴者の目の位置がキャリブレーションのときよりもディスプレイ装置１０１の表示面から遠のいている状態における第１ベクトル４０５及び第２ベクトル３０９ｃの例を示す。この例で、視聴者は、図２の１段目に示した状態において第１ウィンドウ２０１内を主に見て、図２の２段目に示した状態において第２ウィンドウ２０３内を主に見ていたものとする。
【００４９】
第１注視点３０５ｃは、基準点４０１から下方向にずれている。第２注視点３０７ｃは、基準点４０３から左方向にずれている。そして、第２ベクトル３０９ｃは、第１ベクトル４０５よりも小さい。従って、第１注視点３０５ｃと基準点４０１との位置の比較、第２注視点３０７ｃと基準点４０３との位置の比較及び第２ベクトル３０９ｃと第１ベクトル４０５との比較のいずれにおいても、近似しない。
【００５０】
しかし、第２ベクトル３０９ｃの向きと第１ベクトル４０５の向きとは、近似している。本実施の形態は、この特性に基づく。
【００５１】
以下では、情報処理装置８０１の動作について説明する。図８に、情報処理装置８０１のモジュール構成例を示す。情報処理装置８０１は、プレゼンテーション部８０３及び評価部８０５を有する。
【００５２】
プレゼンテーション部８０３は、プレゼンテーションを行う。具体的には、プレゼンテーション部８０３は、コンテンツデータに基づいて、ページ及びウィンドウを表示する。更に、プレゼンテーション部８０３は、コンテンツデータに基づいて、説明の音声を出力する。
【００５３】
プレゼンテーション部８０３は、表示処理部８１１、音声出力部８１３、第１通知部８１５、第１判定部８１７、受取部８１９、第１受付部８２１及びコンテンツ記憶部８２３を有する。表示処理部８１１は、ページ及びウィンドウを表示する処理を行う。音声出力部８１３は、音声を出力する処理を行う。第１通知部８１５は、評価部８０５に対する通知を行う。第１判定部８１７は、各種の判定を行う。受取部８１９は、評価部８０５から視聴者の集中に関する判定結果を受け取る。第１受付部８２１は、視聴者の指示を受け付ける。コンテンツ記憶部８２３は、コンテンツのデータを記憶している。コンテンツのデータには、例えば各ページの画像データ、各ウィンドウに表示される説明文又は画像のデータ、各ウィンドウのサイズ及び位置などが含まれる。この例で、位置は、ウィンドウの左上端点の座標を表す。また、コンテンツのデータには、説明の音声を生成するためのデータも含まれる。
【００５４】
評価部８０５は、コンテンツに対する視聴者の集中度を評価する。評価部８０５は、制御部８３１、第２受付部８３３、特定部８３５、算出部８３７、第２判定部８３９、第２通知部８４１、出力部８４３、レイアウト記憶部８４５及び頻度記憶部８４７を有する。
【００５５】
制御部８３１は、視線センサ装置１０３を制御して、交点座標を検出する。第２受付部８３３は、プレゼンテーション部８０３からの通知を受け付ける。特定部８３５は、後述する第１特定処理乃至第４特定処理を実行する。算出部８３７は、各種の算出を行う。第２判定部８３９は、各種の判定を行う。第２通知部８４１は、視聴者のコンテンツへの集中に関する判定結果をプレゼンテーション部８０３へ通知する。出力部８４３は、集中度の指標値を出力する。レイアウト記憶部８４５は、各ウィンドウのサイズ及び位置を記憶する。頻度記憶部８４７は、後述する第１特定処理乃至第４特定処理において、各画素が周辺領域３０３と重なった頻度をカウントするために用いられる。
【００５６】
上述したプレゼンテーション部８０３、評価部８０５、表示処理部８１１、音声出力部８１３、第１通知部８１５、第１判定部８１７、受取部８１９、第１受付部８２１、制御部８３１、第２受付部８３３、特定部８３５、算出部８３７、第２判定部８３９、第２通知部８４１及び出力部８４３、は、ハードウエア資源（例えば、図２２）と、以下で述べる処理をプロセッサに実行させるプログラムとを用いて実現される。
【００５７】
上述したコンテンツ記憶部８２３、レイアウト記憶部８４５及び頻度記憶部８４７は、ハードウエア資源（例えば、図２２）を用いて実現される。
【００５８】
処理の説明に移る。図９Ａ乃至図９Ｅに、プレゼンテーション処理フローの例を示す。表示処理部８１１は、ディスプレイ装置１０１の画面に、テーマＳのページを表示する（Ｓ９０１）。この例におけるページは、テーマ名及び背景の画像からなる。
【００５９】
表示処理部８１１は、テーマＳのページにおける所定の表示位置に、第１ウィンドウ２０１を表示する（Ｓ９０３）。このとき、第１ウィンドウ２０１の輝度を高めるようにしてもよい。或いは、第１ウィンドウ２０１を指で指すアバターのアニメーションを表示するようにしてもよい。
【００６０】
音声出力部８１３は、項目Ａについて説明する音声の出力を開始する（Ｓ９０５）。このとき、冒頭で第１ウィンドウ２０１に注目するように指示する音声メッセージを出力するようにしてもよい。そして、第１通知部８１５は、第１期間の開始を評価部８０５に通知する（Ｓ９０７）。この通知には、第１ウィンドウ２０１のサイズ及び位置が含まれている。
【００６１】
ここで、図１０を用いて、注視点を求めるサンプリング期間について説明する。右方向に時間の経過を示している。尚、以下では、第１ウィンドウ２０１に対する第１注視点３０５を求めるためのサンプリング期間を第１期間という。第２ウィンドウ２０３に対する第２注視点３０７を求めるためのサンプリング期間を第２期間という。第３ウィンドウ２０５に対する第３注視点を求めるためのサンプリング期間を第３期間という。第４ウィンドウ２０７に対する第４注視点を求めるためのサンプリング期間を第４期間という。
【００６２】
第１期間は、矢印１００１に示すように、項目Ａを説明する期間の全体に相当する。但し、矢印１００５に示すように、第１期間は、項目Ａの説明から項目Ｂの説明に切り替わるタイミングから所定時間Ｔ1だけ遡った時点から開始するようにしてもよい。
【００６３】
第２期間は、矢印１００３に示すように、項目Ｂを説明する期間の全体に相当する。但し、矢印１００７及び矢印１０１１に示すように、第２期間は、項目Ａの説明から項目Ｂの説明に切り替わるタイミングから所定時間Ｔ2だけ経過した時点で終了するようにしてもよい。また、矢印１００９及び矢印１０１１に示すように、項目Ａの説明から項目Ｂの説明に切り替わるタイミングから所定の過渡期間Ｔ3を過ぎた時点から第２期間が開始するようにしてもよい。
【００６４】
第３期間は、矢印１０２１に示すように、項目Ｃを説明する期間の全体に相当する。但し、矢印１０２５に示すように、第３期間は、項目Ｃの説明から項目Ｄの説明に切り替わるタイミングから所定時間Ｔ1だけ遡った時点から開始するようにしてもよい。
【００６５】
第４期間は、矢印１０２３に示すように、項目Ｄを説明する期間の全体に相当する。但し、矢印１０２７及び矢印１０３１に示すように、第４期間は、項目Ｃの説明から項目Ｄの説明に切り替わるタイミングから所定時間Ｔ2だけ経過した時点で終了するようにしてもよい。また、矢印１０２９及び矢印１０３１に示すように、項目Ｃの説明から項目Ｄの説明に切り替わるタイミングから所定の過渡期間Ｔ3を過ぎた時点から第４期間が開始するようにしてもよい。
【００６６】
図９Ａの説明に戻る。図１０の矢印１００１に示した第１期間を用いる場合には、項目Ａの説明を始めた時点で、第１通知部８１５は、第１期間の開始を評価部８０５に通知する。一方、図１０の矢印１００５に示した第１期間を用いる場合には、項目Ａの説明から項目Ｂの説明に切り替わるタイミングまでの期間が所定時間Ｔ1になった時点で、第１通知部８１５は、第１期間の開始を評価部８０５に通知するようにしてもよい。
【００６７】
第１判定部８１７は、項目Ｂの説明に移るタイミングに至ったか否かを判定する（Ｓ９０９）。項目Ａについて説明する音声の出力が終了した時点で、第１判定部８１７は、項目Ｂの説明に移るタイミングに至ったと判定する。
【００６８】
項目Ｂの説明に移るタイミングに至っていないと判定した場合には、第１判定部８１７は、項目Ｂの説明に移るタイミングに至るまで、そのまま待機する。
【００６９】
項目Ｂの説明に移るタイミングに至ったと判定した場合には、第１通知部８１５は、第１期間の終了を評価部８０５に通知する（Ｓ９１１）。そして、端子Ａを介して、図９Ｂに示したＳ９１３の処理に移る。
【００７０】
図９Ｂの説明に移る。表示処理部８１１は、テーマＳのページにおける所定の表示位置に、第２ウィンドウ２０３を表示する（Ｓ９１３）。このとき、第２ウィンドウ２０３の輝度を高めるようにしてもよい。或いは、第２ウィンドウ２０３を指で指すアバターのアニメーションを表示するようにしてもよい。
【００７１】
音声出力部８１３は、項目Ｂについて説明する音声の出力を開始する（Ｓ９１５）。このとき、冒頭で第２ウィンドウ２０３に注目するように指示する音声メッセージを出力するようにしてもよい。そして、第１通知部８１５は、第２期間の開始を評価部８０５に通知する（Ｓ９１７）。つまり、項目Ｂの説明を始めた時点で、第１通知部８１５は、第２期間の開始を評価部８０５に通知する。この通知には、第２ウィンドウ２０３のサイズ及び位置が含まれている。
【００７２】
そして、第１判定部８１７は、テーマＳの説明を終えるタイミングに至ったか否かを判定する（Ｓ９１９）。項目Ｂについて説明する音声の出力が終了した時点で、第１判定部８１７は、テーマＳの説明を終えるタイミングに至ったと判定する。
【００７３】
テーマＳの説明を終えるタイミングに至っていないと判定した場合には、第１判定部８１７は、テーマＳの説明を終えるタイミングに至るまで、そのまま待機する。
【００７４】
テーマＳの説明を終えるタイミングに至ったと判定した場合には、第１通知部８１５は、第２期間の終了を評価部８０５に通知する（Ｓ９２１）。
【００７５】
受取部８１９は、評価部８０５から、テーマＳに対する視聴者の集中に関する判定結果を受け取る（Ｓ９２２）。尚、テーマＳに対する視聴者の集中に関する判定結果を、後述する図９ＥのＳ９４５において、まとめて受け取るようにしてもよい。そして、端子Ｂを介して、図９Ｃに示したＳ９２３の処理に移る。
【００７６】
図９Ｃの説明に移る。この時点で、説明の内容がテーマＳからテーマＴへ切り替わる。表示処理部８１１は、ディスプレイ装置１０１の画面に、テーマＴのページを表示する（Ｓ９２３）。
【００７７】
表示処理部８１１は、テーマＴのページにおける所定の表示位置に、第３ウィンドウ２０５を表示する（Ｓ９２５）。このとき、第３ウィンドウ２０５の輝度を高めるようにしてもよい。或いは、第３ウィンドウ２０５を指で指すアバターのアニメーションを表示するようにしてもよい。
【００７８】
音声出力部８１３は、項目Ｃについて説明する音声の出力を開始する（Ｓ９２７）。このとき、冒頭で第３ウィンドウ２０５に注目するように指示する音声メッセージを出力するようにしてもよい。そして、第１通知部８１５は、第３期間の開始を評価部８０５に通知する（Ｓ９２９）。この通知には、第３ウィンドウ２０５のサイズ及び位置が含まれている。
【００７９】
図１０の矢印１０２１に示した第３期間を用いる場合には、項目Ｃの説明を始めた時点で、第１通知部８１５は、第３期間の開始を評価部８０５に通知する。一方、図１０の矢印１０２５に示した第３期間を用いる場合には、項目Ｃの説明から項目Ｄの説明に切り替わるタイミングまでの期間が、所定時間Ｔ1になった時点で、第１通知部８１５は、第３期間の開始を評価部８０５に通知するようにしてもよい。
【００８０】
第１判定部８１７は、項目Ｄの説明に移るタイミングに至ったか否かを判定する（Ｓ９３１）。項目Ｃについて説明する音声の出力が終了した時点で、第１判定部８１７は、項目Ｄの説明に移るタイミングに至ったと判定する。
【００８１】
項目Ｄの説明に移るタイミングに至っていないと判定した場合には、第１判定部８１７は、項目Ｄの説明に移るタイミングに至るまで、そのまま待機する。
【００８２】
項目Ｄの説明に移るタイミングに至ったと判定した場合には、第１通知部８１５は、第３期間の終了を評価部８０５に通知する（Ｓ９３３）。そして、端子Ｃを介して、図９Ｄに示したＳ９３５の処理に移る。
【００８３】
図９Ｄの説明に移る。表示処理部８１１は、テーマＴのページにおける所定の表示位置に、第４ウィンドウ２０７を表示する（Ｓ９３５）。このとき、第４ウィンドウ２０７の輝度を高めるようにしてもよい。或いは、第４ウィンドウ２０７を指で指すアバターのアニメーションを表示するようにしてもよい。
【００８４】
音声出力部８１３は、項目Ｄについて説明する音声の出力を開始する（Ｓ９３７）。このとき、冒頭で第４ウィンドウ２０７に注目するように指示する音声メッセージを出力するようにしてもよい。そして、第１通知部８１５は、第４期間の開始を評価部８０５に通知する（Ｓ９３９）。つまり、項目Ｄの説明を始めた時点で、第１通知部８１５は、第４期間の開始を評価部８０５に通知する。この通知には、第４ウィンドウ２０７のサイズ及び位置が含まれている。
【００８５】
第１判定部８１７は、テーマＴの説明を終えるタイミングに至ったか否かを判定する（Ｓ９４１）。項目Ｄについて説明する音声の出力が終了した時点で、第１判定部８１７は、テーマＴの説明を終えるタイミングに至ったと判定する。
【００８６】
テーマＴの説明を終えるタイミングに至っていないと判定した場合には、第１判定部８１７は、テーマＴの説明を終えるタイミングに至るまで、そのまま待機する。
【００８７】
テーマＴの説明を終えるタイミングに至ったと判定した場合には、第１通知部８１５は、第４期間の終了を評価部８０５に通知する（Ｓ９４３）。そして、端子Ｄを介して、図９Ｅに示したＳ９４５の処理に移る。
【００８８】
図９Ｅの説明に移る。受取部８１９は、評価部８０５から、テーマＴに対する視聴者の集中に関する判定結果を受け取る（Ｓ９４５）。上述したように、受取部８１９は、このタイミングで、テーマＳに対する視聴者の集中に関する判定結果を併せて受け取るようにしてもよい。
【００８９】
第１判定部８１７は、判定結果によって、視聴者がテーマＳに集中していたか否かを判定する（Ｓ９４７）。視聴者がテーマＳに集中していなかったと判定した場合には、表示処理部８１１は、テーマＳのテストページを表示し（Ｓ９４９）、第１受付部８２１は、テーマＳのテストにおける回答を受け付ける（Ｓ９５１）。
【００９０】
テーマＳのテストにおける回答を受け付けると、表示処理部８１１は、テーマＳのテストに関する解説ページを表示する（Ｓ９５３）。当該解説ページを閉じるタイミングで、Ｓ９５５の処理に移る。例えば、視聴者がページを閉じさせる指示を行った時点で、当該解説ページを閉じるものとする。
【００９１】
一方、Ｓ９４７の処理において、視聴者がテーマＳに集中していたと判定した場合には、テーマＳに関するテストは行われない。従って、そのままＳ９５５の処理に移る。
【００９２】
第１判定部８１７は、判定結果によって、視聴者がテーマＴに集中していたか否かを判定する（Ｓ９５５）。視聴者がテーマＴに集中していなかったと判定した場合には、表示処理部８１１は、テーマＴのテストページを表示し（Ｓ９５７）、第１受付部８２１は、テーマＴのテストにおける回答を受け付ける（Ｓ９５９）。
【００９３】
テーマＴのテストにおける回答を受け付けると、表示処理部８１１は、テーマＴのテストに関する解説ページを表示する（Ｓ９６１）。当該解説ページを閉じるタイミングで、プレゼンテーション処理を終える。例えば、視聴者がページを閉じさせる指示を行った時点で、当該解説ページを閉じるものとする。
【００９４】
一方、Ｓ９５５の処理において、視聴者がテーマＴに集中していたと判定した場合には、テーマＴに関するテストは行われない。従って、そのままプレゼンテーション処理を終える。
【００９５】
続いて、評価処理について説明する。評価処理は、プレゼンテーション処理と並行して実行される。図１１Ａ及び図１１Ｂに、評価処理フローの例を示す。制御部８３１は、視線センサ装置１０３を用いて、交点座標の計測を開始する（Ｓ１１０１）。交点座標は、視聴者の視線の先が指す座標、つまり視聴者の視線とディスプレイ装置１０１の画面との交点を指す座標である。制御部８３１は、計測終了が指示されるまで、随時交点座標の計測を繰り返す。
【００９６】
第２受付部８３３は、プレゼンテーション部８０３から第１期間開始の通知を受ける（Ｓ１１０３）。このとき受け付けた第１ウィンドウ２０１のサイズ及び位置は、レイアウト記憶部８４５に記憶される。第１期間開始の通知を受けると、特定部８３５は、第１特定処理を実行する（Ｓ１１０５）。
【００９７】
図１２に、第１特定処理フローの例を示す。第１特定処理を開始する時点で、頻度記憶部８４７に記憶されている頻度のデータは初期化されているものとする。つまり、各画素に対する頻度は０である。
【００９８】
特定部８３５は、制御部８３１から、現時点で検出した交点座標を取得する（Ｓ１２０１）。更に、特定部８３５は、交点の周辺領域３０３を特定する（Ｓ１２０３）。周辺領域３０３の形状は第１ウィンドウ２０１と等しく、周辺領域３０３の重心は交点と一致する。
【００９９】
特定部８３５は、周辺領域３０３に含まれる各画素に対応する頻度に１を加える（Ｓ１２０５）。そして、特定部８３５は、第２受付部８３３で第１期間終了の通知を受けたか否かを判定する（Ｓ１２０７）。
【０１００】
未だ第１期間終了の通知を受けていないと判定した場合には、Ｓ１２０１に示した処理に戻って、上述した処理を繰り返す。
【０１０１】
一方、第１期間終了の通知を受けたと判定した場合には、特定部８３５は、頻度データにおける最大の頻度を特定する（Ｓ１２０９）。
【０１０２】
図１３を用いて、最大の頻度について説明する。図１３は、図３に示した表示面の左上付近を拡大した図である。上述したように、第１注視点３０５における周辺領域３０３の重複の頻度は４である。これは、最大の頻度に相当する。範囲１３０１は、第１注視点３０５を重心に合わせた場合の第１ウィンドウ２０１と同じ大きさである。そして、範囲１３０１には、交点３０１ａ乃至交点３０１ｄが含まれている。このように、最大の頻度は、第１期間において視聴者の視線が第１ウィンドウ２０１の大きさに相当する範囲１３０１内に収まっていた頻度と一致する。
【０１０３】
図１２の説明に戻る。更に、特定部８３５は、頻度が最大である画素を特定し、その画素に相当する点を第１注視点とする（Ｓ１２１１）。尚、頻度が最大である画素が複数ある場合には、いずれかの画素を特定する。例えば、複数の画素における重心に最も近い画素を特定する。第１特定処理を終えると、図１１Ａに示したＳ１１０７の処理に戻る。
【０１０４】
図１１Ａの説明に戻る。第２受付部８３３は、プレゼンテーション部８０３から第２期間開始の通知を受ける（Ｓ１１０７）。このとき受け付けた第２ウィンドウ２０３のサイズ及び位置は、レイアウト記憶部８４５に記憶される。第２期間開始の通知を受けると、特定部８３５は、第２特定処理を実行する（Ｓ１１０９）。図１０に示した矢印１００９又は矢印１０１１の期間を第２期間として用いる場合には、特定部８３５は、第２期間開始の通知を受けてから過渡期間Ｔ3が経過した時点で、第２特定処理を実行するようにしてもよい。
【０１０５】
第２特定処理は、第１特定処理とほぼ同様である。第２特定処理における周辺領域３０３の形状は第２ウィンドウ２０３と等しい。図１２に示したＳ１２０７において、第１期間終了の通知に代えて、第２期間終了の通知を受けたか否かを判定する。また、図１０に示した矢印１００７又は矢印１０１１の期間を第２期間とする場合には、同じくＳ１２０７において、第１期間終了の通知を受け付けてから所定時間Ｔ2が経過したか否かを判定する。そして、同じくＳ１２１１において、頻度が最大である画素を、第２注視点とする。
【０１０６】
算出部８３７は、第１ベクトル４０５を算出する（Ｓ１１１１）。第１ベクトル４０５は、第１ウィンドウ２０１における基準点４０１を始点とし、第２ウィンドウ２０３における基準点４０３を終点とするベクトルである。従って、第２ウィンドウ２０３における基準点４０３の座標から、第１ウィンドウ２０１における基準点４０１の座標を引くことによって、第１ベクトル４０５が算出される。
【０１０７】
尚、第１ウィンドウ２０１における基準点４０１の座標は、第１ウィンドウ２０１の位置を示すＸ座標に第１ウィンドウ２０１の幅の半分を加え、第１ウィンドウ２０１の位置を示すＹ座標に第１ウィンドウ２０１の高さの半分を加えることによって求められる。同様に、第２ウィンドウ２０３における基準点４０３の座標は、第２ウィンドウ２０３の位置を示すＸ座標に第２ウィンドウ２０３の幅の半分を加え、第２ウィンドウ２０３の位置を示すＹ座標に第２ウィンドウ２０３の高さの半分を加えることによって求められる。
【０１０８】
算出部８３７は、第２ベクトル３０９を算出する（Ｓ１１１３）。第２ベクトル３０９は、第１注視点３０５を始点とし、第２注視点３０７を終点とするベクトルである。従って、第２特定処理で特定された第２注視点３０７の座標から、第１特定処理で特定された第１注視点３０５の座標を引くことによって、第２ベクトル３０９が算出される。
【０１０９】
算出部８３７は、第１ベクトル４０５の向きと第２ベクトル３０９の向きとの近似度を算出する（Ｓ１１１５）。この例で、第１ベクトル４０５の向きと第２ベクトル３０９の向きとの近似度は、第１ベクトル４０５と第２ベクトル３０９とのなす角θの余弦の値ｃｏｓθである。例えば、第１ベクトル４０５と第２ベクトル３０９との内積を求め、内積の値を第１ベクトル４０５の大きさと第２ベクトル３０９の大きさとで除することによって、余弦の値ｃｏｓθを求めるようにしてもよい。
【０１１０】
算出部８３７は、第１期間から第２期間にかけての集中度の指標値を算出する（Ｓ１１１７）。算出部８３７は、第２特定処理で求めた最大の頻度、つまり第２期間において視聴者の視線が第２ウィンドウ２０３の大きさに相当する範囲１３０１内に収まっていた頻度を第２期間の長さで除して、第２ウィンドウ２０３を注視する頻度（時間当たり）を求める。そして、集中度の指標値は、第１ベクトル４０５の向きと第２ベクトル３０９の向きとの近似度＋係数×第２ウィンドウ２０３を注視する頻度（時間当たり）で求められる。この式で係数を０とした場合に、集中度の指標値は、第１ベクトル４０５の向きと第２ベクトル３０９の向きとの近似度と等しい。この式によれば、集中度の指標値は、視聴者の視線が第１ウィンドウ２０１から第２ウィンドウ２０３へ追ったことと共に、第２ウィンドウ２０３の範囲内を注視していた時間が長いことを反映している。
【０１１１】
第２判定部８３９は、視聴者が第１期間から第２期間にかけてコンテンツに集中していたか否かを判定する（Ｓ１１１９）。第２判定部８３９は、集中度の指標値が閾値以上である場合に、視聴者が第１期間から第２期間にかけてコンテンツに集中していたと判定する。反対に、第２判定部８３９は、集中度の指標値が閾値を超えていない場合に、視聴者が第１期間から第２期間にかけてコンテンツに集中していなかったと判定する。
【０１１２】
第２通知部８４１は、第１期間から第２期間にかけてのコンテンツへの集中に関する判定結果をプレゼンテーション部８０３へ渡す（Ｓ１１２１）。尚、後述する図１１ＢのＳ１１３９のタイミングで、第３期間から第４期間にかけてのコンテンツへの集中に関する判定結果と併せて、第１期間から第２期間にかけてのコンテンツへの集中に関する判定結果をプレゼンテーション部８０３へ渡すようにしてもよい。つまり、コンテンツへの集中に関する判定を行う都度、プレゼンテーション部８０３へ判定結果を別個に渡してもよいし、各判定結果をまとめてプレゼンテーション部８０３へ渡すようにしてもよい。そして、端子Ｅを介して、図１１Ｂに示したＳ１１２３の処理に移る。
【０１１３】
図１１Ｂの説明に移る。第２受付部８３３は、プレゼンテーション部８０３から第３期間開始の通知を受ける（Ｓ１１２３）。このとき受け付けた第３ウィンドウ２０５のサイズ及び位置は、レイアウト記憶部８４５に記憶される。第３期間開始の通知を受けると、特定部８３５は、第３特定処理を実行する（Ｓ１１２５）。
【０１１４】
第３特定処理は、第１特定処理とほぼ同様である。第３特定処理における周辺領域３０３の形状は第３ウィンドウ２０５と等しい。図１２に示したＳ１２０７において、第１期間終了の通知に代えて、第３期間終了の通知を受けたか否かを判定する。同じくＳ１２１１において、頻度が最大である画素を、第３注視点とする。
【０１１５】
第２受付部８３３は、プレゼンテーション部８０３から第４期間開始の通知を受ける（Ｓ１１２７）。このとき受け付けた第４ウィンドウ２０７のサイズ及び位置は、レイアウト記憶部８４５に記憶される。特定部８３５は、第４特定処理を実行する（Ｓ１１２９）。図１０に示した矢印１０２９又は矢印１０３１の期間を第４期間として用いる場合には、特定部８３５は、第４期間開始の通知を受けてから過渡期間Ｔ3が経過した時点で、第４特定処理を実行するようにしてもよい。
【０１１６】
第４特定処理は、第１特定処理とほぼ同様である。第４特定処理における周辺領域３０３の形状は第４ウィンドウ２０７と等しい。図１２に示したＳ１２０７において、第１期間終了の通知に代えて、第４期間終了の通知を受けたか否かを判定する。また、図１０に示した矢印１０２７又は矢印１０３１の期間を第４期間とする場合には、同じくＳ１２０７において、第３期間終了の通知を受け付けてから所定時間Ｔ2が経過したか否かを判定する。そして、同じくＳ１２１１において、頻度が最大である画素を、第４注視点とする。
【０１１７】
算出部８３７は、第３ベクトルを算出する（Ｓ１１３１）。第３ベクトルは、第３ウィンドウ２０５における基準点を始点とし、第４ウィンドウ２０７における基準点を終点とするベクトルである。従って、第４ウィンドウ２０７における基準点の座標から、第３ウィンドウ２０５における基準点の座標を引くことによって、第３ベクトルが算出される。
【０１１８】
尚、第３ウィンドウ２０５における基準点４０１の座標は、第３ウィンドウ２０５の位置を示すＸ座標に第３ウィンドウ２０５の幅の半分を加え、第３ウィンドウ２０５の位置を示すＹ座標に第３ウィンドウ２０５の高さの半分を加えることによって求められる。同様に、第４ウィンドウ２０７における基準点４０３の座標は、第４ウィンドウ２０７の位置を示すＸ座標に第４ウィンドウ２０７の幅の半分を加え、第４ウィンドウ２０７の位置を示すＹ座標に第４ウィンドウ２０７の高さの半分を加えることによって求められる。
【０１１９】
算出部８３７は、第４ベクトルを算出する（Ｓ１１３３）。第４ベクトルは、第３注視点を始点とし、第４注視点を終点とするベクトルである。従って、第４特定処理で特定された第４注視点の座標から、第３特定処理で特定された第３注視点の座標を引くことによって、第４ベクトルが算出される。
【０１２０】
算出部８３７は、第３ベクトルの向きと第４ベクトルの向きとの近似度を算出する（Ｓ１１３５）。この例で、第３ベクトルの向きと第４ベクトルの向きとの近似度は、第３ベクトルと第４ベクトルとのなす角γの余弦の値ｃｏｓγである。例えば、第３ベクトルと第４ベクトルとの内積を求め、内積の値を第３ベクトルの大きさと第４ベクトルの大きさとで除することによって、余弦の値ｃｏｓγを求めるようにしてもよい。
【０１２１】
算出部８３７は、第３期間から第４期間にかけての集中度の指標値を算出する（Ｓ１１３７）。算出部８３７は、第４特定処理で求めた最大の頻度、つまり第４期間において視聴者の視線が第４ウィンドウ２０７の大きさに相当する範囲内に収まっていた頻度を第４期間の長さで除して、第４ウィンドウ２０７を注視する頻度（時間当たり）を求める。そして、以下の式に従って、集中度の指標値を算出する。第３ベクトルの向きと第４ベクトルの向きとの近似度＋係数×第４ウィンドウ２０７を注視する頻度（時間当たり）で求められる。この式で係数を０とした場合に、集中度の指標値は、第３ベクトルの向きと第４ベクトルの向きとの近似度と等しい。この式によれば、集中度の指標値は、視聴者の視線が第３ウィンドウ２０５から第４ウィンドウ２０７へ追ったことと共に、第４ウィンドウ２０７の範囲内を注視していた時間が長いことを反映している。
【０１２２】
第２判定部８３９は、視聴者が第３期間から第４期間にかけてコンテンツに集中していたか否かを判定する（Ｓ１１３８）。第２判定部８３９は、集中度の指標値が閾値以上である場合に、視聴者が第３期間から第４期間にかけてコンテンツに集中していたと判定する。反対に、第２判定部８３９は、集中度の指標値が閾値を超えていない場合に、視聴者が第３期間から第４期間にかけてコンテンツに集中していなかったと判定する。
【０１２３】
第２通知部８４１は、第３期間から第４期間にかけてのコンテンツへの集中に関する判定結果をプレゼンテーション部８０３へ渡す（Ｓ１１３９）。上述したように、このとき第１期間から第２期間にかけてのコンテンツへの集中に関する判定結果も併せて、プレゼンテーション部８０３へ渡すようにしてもよい。
【０１２４】
制御部８３１は、視線センサ装置１０３を用いた交点座標の計測を停止する（Ｓ１１４１）。そして、出力部８４３は、集中度の指標値を出力する（Ｓ１１４３）。例えば、評価対象となった各期間（この例では、第１期間乃至第２期間（テーマＳの説明期間）と第３期間乃至第４期間（テーマＴの説明期間））に対応付けて、当該期間における集中度の指標値を出力する。出力部８４３は、例えば教師の端末に集中度の指標値を送信するようにしてもよい。或いは、出力部８４３は、例えば視聴者の端末に集中度の指標値を送信するようにしてもよい。更に、出力部８４３は、集中度の指標値に判定結果（集中していたか否か）を付するようにしてもよい。また、出力部８４３は、集中度の指標値に、集中度の指標値に関する統計値（例えば、平均値及び分散）を付するようにしてもよい。
【０１２５】
本実施の形態によれば、画面に表示されているウィンドウに対する視聴者の集中度をより正確に把握することができる。
【０１２６】
また、視聴者の集中度を示す指標値に、視線を移した先のウィンドウに注目していた度合いを反映することができる。
【０１２７】
また、コンテンツへの集中度に応じて、当該コンテンツによる表示内容を変えられる。
【０１２８】
また、音声に対する視聴者の集中度をより正確に把握することができる。
【０１２９】
［実施の形態２］
本実施の形態では、別のウィンドウ表示態様について説明する。
【０１３０】
図１４に、実施の形態２に係る画面遷移の例を示す。図１４の１段目は、図２の１段目と同様である。実施の形態２では、図１４の２段目に示したように、第２ウィンドウ２０３を表示する時点で、第１ウィンドウ２０１が消える。図１４の３段目は、図２の３段目と同様である。実施の形態２では、図１４の４段目に示したように、第４ウィンドウ２０７を表示する時点で、第３ウィンドウ２０５が消える。
【０１３１】
図１５Ａ及び図１５Ｂを用いて、実施の形態２に係るプレゼンテーション処理について説明する。まず、実施の形態１の場合と同様に、図９ＡのＳ９０１乃至Ｓ９１１に示した処理を行う。そして、端子Ａを介して、図１５Ａに示したＳ１５０１の処理に移る。
【０１３２】
表示処理部８１１は、テーマＳのページから第１ウィンドウ２０１を消去する（Ｓ１５０１）。図１５Ａに示したＳ９１３乃至Ｓ９２２の処理は、図９Ｂの場合と同様である。そして、端子Ｂを介して、図９Ｃに示したＳ９２３の処理に移る。
【０１３３】
実施の形態１の場合と同様に、図９ＣのＳ９２３乃至Ｓ９３３に示した処理を行う。そして、端子Ｃを介して、図１５Ｂに示したＳ１５０３の処理に移る。
【０１３４】
表示処理部８１１は、テーマＴのページから第３ウィンドウ２０５を消去する（Ｓ１５０３）。図１５Ｂに示したＳ９３５乃至Ｓ９４３の処理は、図９Ｄの場合と同様である。そして、端子Ｄを介して、図９Ｅに示したＳ９４５の処理に移る。
【０１３５】
実施の形態１の場合と同様に、図９ＥのＳ９４５乃至Ｓ９６１に示した処理を行う。
【０１３６】
本実施の形態によれば、ウィンドウの切り替わりがより明確になる。
【０１３７】
［実施の形態３］
本実施の形態では、更に別のウィンドウ表示態様について説明する。
【０１３８】
図１６に、実施の形態３に係る画面遷移の例を示す。実施の形態３では、図１６の１段目に示したように、第１ウィンドウ２０１を表示する時点で、第２ウィンドウ２０３も表示する。図１６の２段目に示したように、項目Ｂの説明に移るタイミングで、表示レイアウトは変化しない。実施の形態３では、図１６の３段目に示したように、第３ウィンドウ２０５を表示する時点で、第４ウィンドウ２０７も表示する。そして、図１６の４段目に示したように、項目Ｄの説明に移るタイミングで表示レイアウトは変化しない。
【０１３９】
図１７Ａ乃至図１７Ｄを用いて、実施の形態３に係るプレゼンテーション処理について説明する。図１７ＡのＳ９０１及びＳ９０３に示した処理は、図９Ａの場合と同様である。表示処理部８１１は、テーマＳのページにおける所定の表示位置に、第２ウィンドウ２０３を表示する（Ｓ１７０１）。
【０１４０】
図１７ＡのＳ９０５及びＳ９１１に示した処理は、図９Ａの場合と同様である。そして、端子Ｆを介して、図１７Ｂに示したＳ９１５の処理に移る。
【０１４１】
図１７Ｂの説明に移る。図１７Ｂに示したＳ９１５乃至Ｓ９２２の処理は、図９Ｂの場合と同様である。そして、端子Ｇを介して、図１７Ｃに示したＳ９２３の処理に移る。
【０１４２】
図１７Ｃの説明に移る。図１７ＣのＳ９２３及びＳ９２５に示した処理は、図９Ｃの場合と同様である。表示処理部８１１は、テーマＴのページにおける所定の表示位置に、第４ウィンドウ２０７を表示する（Ｓ１７０３）。
【０１４３】
図１７ＣのＳ９２７及びＳ９３３に示した処理は、図９Ｃの場合と同様である。そして、端子Ｈを介して、図１７Ｄに示したＳ９３７の処理に移る。
【０１４４】
図１７Ｄの説明に移る。図１７Ｄに示したＳ９３７乃至Ｓ９４３の処理は、図９Ｄの場合と同様である。そして、端子Ｄを介して、図９Ｅに示したＳ９４５の処理に移る。
【０１４５】
実施の形態１の場合と同様に、図９ＥのＳ９４５乃至Ｓ９６１に示した処理を行う。
【０１４６】
本実施の形態によれば、ウィンドウの表示処理がより簡便になる。
【０１４７】
［実施の形態４］
本実施の形態では、別のフィードバック態様について説明する。
【０１４８】
図１８及び図１９を用いて、実施の形態４に係るプレゼンテーション処理について説明する。まず、実施の形態１の場合と同様に、図９Ａ及び図９Ｂに示したＳ９０１乃至Ｓ９２２の処理を実行する。そして、図９Ｂに示した端子Ｂから、図１８に示した端子Ｂ１を介してＳ１８０１に示した処理に移る。
【０１４９】
受取部８１９は、テーマＳに対する視聴者の集中に関する判定結果を受け取る（Ｓ１８０１）。第１判定部８１７は、判定結果によって、視聴者がテーマＳに集中していたか否かを判定する（Ｓ１８０３）。
【０１５０】
視聴者がテーマＳに集中していなかったと判定した場合には、表示処理部８１１は、注意ウィンドウを表示する（Ｓ１８０５）。注意ウィンドウでは、視聴者に対してコンテンツに集中するように促す注意コメントが表示される。第１判定部８１７は、注意ウィンドウを閉じたか否かを判定する（Ｓ１８０７）。表示処理部８１１は、所定時間を経過すると、注意ウィンドウを自動的に閉じるようにしてもよい。注意ウィンドウを未だ閉じていないと判定した場合には、第１判定部８１７は、注意ウィンドウを閉じるタイミングに至るまで、そのまま待機する。
【０１５１】
Ｓ１８０７において、注意ウィンドウを閉じたと判定した場合には、端子Ｂ２から、図９Ｃに示した端子Ｂを介して、Ｓ９２３の処理に移る。
【０１５２】
Ｓ１８０３の説明に戻って、視聴者がテーマＳに集中していたと判定した場合にも、端子Ｂ２から、図９Ｃに示した端子Ｂを介して、Ｓ９２３の処理に移る。
【０１５３】
実施の形態１の場合と同様に、図９Ｃ及び図９Ｄに示したＳ９２３乃至Ｓ９４３の処理を実行する。そして、図９Ｄに示した端子Ｄから、図１９に示した端子Ｄを介してＳ１９０１に示した処理に移る。
【０１５４】
受取部８１９は、テーマＴに対する視聴者の集中に関する判定結果を受け取る（Ｓ１９０１）。第１判定部８１７は、判定結果によって、視聴者がテーマＴに集中していたか否かを判定する（Ｓ１９０３）。
【０１５５】
視聴者がテーマＴに集中していなかったと判定した場合には、表示処理部８１１は、注意ウィンドウを表示する（Ｓ１９０５）。第１判定部８１７は、注意ウィンドウを閉じたか否かを判定する（Ｓ１９０７）。注意ウィンドウを未だ閉じていないと判定した場合には、第１判定部８１７は、注意ウィンドウを閉じるタイミングに至るまで、そのまま待機する。
【０１５６】
Ｓ１９０７において、注意ウィンドウを閉じたと判定した場合には、プレゼンテーション処理を終える。
【０１５７】
Ｓ１９０３の説明に戻って、視聴者がテーマＴに集中していたと判定した場合にも、プレゼンテーション処理を終える。
【０１５８】
本実施の形態によれば、視聴者へコンテンツへの集中を喚起することができる。
【０１５９】
［実施の形態５］
本実施の形態では、更に別のフィードバック態様について説明する。
【０１６０】
図２０及び図２１を用いて、実施の形態５に係るプレゼンテーション処理について説明する。まず、実施の形態１の場合と同様に、図９Ａ及び図９Ｂに示したＳ９０１乃至Ｓ９２２の処理を実行する。そして、図９Ｂに示した端子Ｂから、図２０に示した端子Ｂ３を介してＳ２００１に示した処理に移る。
【０１６１】
受取部８１９は、テーマＳに対する視聴者の集中に関する判定結果を受け取る（Ｓ２００１）。第１判定部８１７は、判定結果によって、視聴者がテーマＳに集中していたか否かを判定する（Ｓ２００３）。
【０１６２】
視聴者がテーマＳに集中していたと判定した場合には、表示処理部８１１は、テーマＳの補足ウィンドウを表示する（Ｓ２００５）。補足ウィンドウでは、テーマＳについて補足する内容（例えば、テーマＳに関する小話）が表示される。第１判定部８１７は、補足ウィンドウを閉じたか否かを判定する（Ｓ２００７）。例えば、第１受付部８２１においてウィンドウクローズの指示を受け付けた場合に、補足ウィンドウを閉じるようにしてもよい。補足ウィンドウを未だ閉じていないと判定した場合には、第１判定部８１７は、補足ウィンドウを閉じるタイミングに至るまで、そのまま待機する。
【０１６３】
Ｓ２００７において、補足ウィンドウを閉じたと判定した場合には、端子Ｂ４から、図９Ｃに示した端子Ｂを介して、Ｓ９２３の処理に移る。
【０１６４】
Ｓ２００３の説明に戻って、視聴者がテーマＳに集中していなかったと判定した場合にも、端子Ｂ４から、図９Ｃに示した端子Ｂを介して、Ｓ９２３の処理に移る。
【０１６５】
実施の形態１の場合と同様に、図９Ｃ及び図９Ｄに示したＳ９２３乃至Ｓ９４３の処理を実行する。そして、図９Ｄに示した端子Ｄから、図２１に示した端子Ｄを介してＳ２１０１に示した処理に移る。
【０１６６】
受取部８１９は、テーマＴに対する視聴者の集中に関する判定結果を受け取る（Ｓ２１０１）。第１判定部８１７は、判定結果によって、視聴者がテーマＴに集中していたか否かを判定する（Ｓ２１０３）。
【０１６７】
視聴者がテーマＴに集中していたと判定した場合には、表示処理部８１１は、テーマＴの補足ウィンドウを表示する（Ｓ２１０５）。補足ウィンドウでは、テーマＴについて補足する内容（例えば、テーマＴに関する小話）が表示される。第１判定部８１７は、補足ウィンドウを閉じたか否かを判定する（Ｓ２１０７）。補足ウィンドウを未だ閉じていないと判定した場合には、第１判定部８１７は、補足ウィンドウを閉じるタイミングに至るまで、そのまま待機する。
【０１６８】
Ｓ２１０７において、補足ウィンドウを閉じたと判定した場合には、プレゼンテーション処理を終える。
【０１６９】
Ｓ２１０３の説明に戻って、視聴者がテーマＴに集中していなかったと判定した場合にも、プレゼンテーション処理を終える。
【０１７０】
本実施の形態によれば、視聴者の興味に応えることができる。
【０１７１】
上述した学習システムの構成及び処理を、広告システムに適用してもよい。広告システムでは、テーマＳを商品Ｓの紹介に置き換えてもよい。その場合、項目Ａを、商品Ｓのコンセプトに置き換え、項目Ｂを、商品Ｓに対する口コミ情報に置き換えてもよい。同様に、テーマＴを商品Ｔの紹介に置き換えてもよい。その場合、項目Ｃを、商品Ｔのコンセプトに置き換え、項目Ｄを、商品Ｔに対する口コミ情報に置き換えてもよい。
【０１７２】
また、テーマＳに関するテストを、商品Ｓに対する要望を求めるアンケートに置き換えてもよい。同様に、テーマＴに関するテストを、商品Ｔに対する要望を求めるアンケートに置き換えてもよい。
【０１７３】
また、テーマＳの補足ウィンドウを、商品Ｓの価格を提示する価格ウィンドウに置き換えてもよい。同様に、テーマＴの補足ウィンドウを、商品Ｔの価格を提示する価格ウィンドウに置き換えてもよい。
【０１７４】
更に、上述した学習システムの構成及び処理を、飲食店のメニューシステムに適用してもよい。メニューシステムでは、テーマＳを料理Ｓの紹介に置き換えてもよい。その場合、項目Ａを、料理Ｓの調理過程の画像に置き換え、項目Ｂを、料理Ｓが盛り付けられた画像に置き換えてもよい。同様に、テーマＴを料理Ｔの紹介に置き換えてもよい。その場合、項目Ｃを、料理Ｔの調理過程の画像に置き換え、項目Ｄを、料理Ｔが盛り付けられた画像に置き換えてもよい。
【０１７５】
テーマＳの補足ウィンドウを、料理Ｓを注文する注文ウィンドウに置き換えてもよい。同様に、テーマＴの補足ウィンドウを、料理Ｔを注文する注文ウィンドウに置き換えてもよい。
【０１７６】
以上本発明の実施の形態を説明したが、本発明はこれに限定されるものではない。例えば、上述の機能ブロック構成はプログラムモジュール構成に一致しない場合もある。
【０１７７】
また、上で説明した各記憶領域の構成は一例であって、上記のような構成でなければならないわけではない。さらに、処理フローにおいても、処理結果が変わらなければ、処理の順番を入れ替えることや複数の処理を並列に実行させるようにしても良い。
【０１７８】
なお、上で述べた情報処理装置８０１は、コンピュータ装置であって、図２２に示すように、メモリ２５０１とＣＰＵ（Central Processing Unit）２５０３とハードディスク・ドライブ（ＨＤＤ：Hard Disk Drive）２５０５と表示装置２５０９に接続される表示制御部２５０７とリムーバブル・ディスク２５１１用のドライブ装置２５１３と入力装置２５１５とネットワークに接続するための通信制御部２５１７とがバス２５１９で接続されている。オペレーティング・システム（ＯＳ：Operating System）及び本実施例における処理を実施するためのアプリケーション・プログラムは、ＨＤＤ２５０５に格納されており、ＣＰＵ２５０３により実行される際にはＨＤＤ２５０５からメモリ２５０１に読み出される。ＣＰＵ２５０３は、アプリケーション・プログラムの処理内容に応じて表示制御部２５０７、通信制御部２５１７、ドライブ装置２５１３を制御して、所定の動作を行わせる。また、処理途中のデータについては、主としてメモリ２５０１に格納されるが、ＨＤＤ２５０５に格納されるようにしてもよい。本発明の実施例では、上で述べた処理を実施するためのアプリケーション・プログラムはコンピュータ読み取り可能なリムーバブル・ディスク２５１１に格納されて頒布され、ドライブ装置２５１３からＨＤＤ２５０５にインストールされる。インターネットなどのネットワーク及び通信制御部２５１７を経由して、ＨＤＤ２５０５にインストールされる場合もある。このようなコンピュータ装置は、上で述べたＣＰＵ２５０３、メモリ２５０１などのハードウエアとＯＳ及びアプリケーション・プログラムなどのプログラムとが有機的に協働することにより、上で述べたような各種機能を実現する。
【０１７９】
以上述べた本発明の実施の形態をまとめると、以下のようになる。
【０１８０】
本実施の形態に係る評価方法は、（Ａ）少なくとも第１オブジェクトを画面内に表示する第１期間におけるユーザの第１注視点を特定し、（Ｂ）第１期間の後、少なくとも第２オブジェクトを上記画面内に表示する第２期間におけるユーザの第２注視点を特定し、（Ｃ）第１オブジェクト内の基準点から第２オブジェクト内の基準点までの第１ベクトルの向きと、第１注視点から第２注視点までの第２ベクトルの向きとの近似度を算出する処理を含む。
【０１８１】
このようにすれば、表示オブジェクトに対するユーザの集中度をより正確に把握することができる。
【０１８２】
更に、第２期間においてユーザの視線が第２オブジェクトの大きさに相当する範囲内に収まっていた、時間当たりの頻度を算出するようにしてもよい。また、近似度と時間当たりの頻度とに基づいて、ユーザの集中度を示す指標値を算出するようにしてもよい。
【０１８３】
このようにすれば、ユーザの集中度を示す指標値に、視線を移した先のオブジェクトに注目していた度合いを反映することができる。
【０１８４】
更に、少なくとも近似度に基づいて、ユーザが、第１オブジェクト及び第２オブジェクトを含むコンテンツに集中していたか否かを判定するようにしてもよい。また、判定結果に応じて、コンテンツの表示を制御するようにしてもよい。
【０１８５】
このようにすれば、コンテンツへの集中度に応じて、当該コンテンツによる表示内容を変えられる。
【０１８６】
更に、第１期間において第１オブジェクトに関する音声を出力するようにしてもよい。また、第２期間において第２オブジェクトに関する音声を出力するようにしてもよい。
【０１８７】
このようにすれば、音声に対するユーザの集中度をより正確に把握することができる。
【０１８８】
なお、上記方法による処理をコンピュータに行わせるためのプログラムを作成することができ、当該プログラムは、例えばフレキシブルディスク、ＣＤ−ＲＯＭ、光磁気ディスク、半導体メモリ、ハードディスク等のコンピュータ読み取り可能な記憶媒体又は記憶装置に格納されるようにしてもよい。尚、中間的な処理結果は、一般的にメインメモリ等の記憶装置に一時保管される。
【０１８９】
以上の実施例を含む実施形態に関し、さらに以下の付記を開示する。
【０１９０】
（付記１）
少なくとも第１オブジェクトを画面内に表示する第１期間におけるユーザの第１注視点を特定し、
前記第１期間の後、少なくとも第２オブジェクトを前記画面内に表示する第２期間における前記ユーザの第２注視点を特定し、
前記第１オブジェクト内の基準点から前記第２オブジェクト内の基準点までの第１ベクトルの向きと、前記第１注視点から前記第２注視点までの第２ベクトルの向きとの近似度を算出する
処理を含み、コンピュータにより実行される評価方法。
【０１９１】
（付記２）
更に、
前記第２期間において前記ユーザの視線が前記第２オブジェクトの大きさに相当する範囲内に収まっていた、時間当たりの頻度を算出し、
前記近似度と前記時間当たりの頻度とに基づいて、前記ユーザの集中度を示す指標値を算出する
処理を含む付記１記載の評価方法。
【０１９２】
（付記３）
更に、
少なくとも前記近似度に基づいて、前記ユーザが、前記第１オブジェクト及び前記第２オブジェクトを含むコンテンツに集中していたか否かを判定し、
判定結果に応じて、前記コンテンツの表示を制御する
処理を含む付記１又は２記載の評価方法。
【０１９３】
（付記４）
更に、
前記第１期間において前記第１オブジェクトに関する音声を出力し、
前記第２期間において前記第２オブジェクトに関する音声を出力する
処理を含む付記１乃至３のいずれか１つ記載の評価方法。
【０１９４】
（付記５）
少なくとも第１オブジェクトを画面内に表示する第１期間におけるユーザの第１注視点を特定し、
前記第１期間の後、少なくとも第２オブジェクトを前記画面内に表示する第２期間における前記ユーザの第２注視点を特定し、
前記第１オブジェクト内の基準点から前記第２オブジェクト内の基準点までの第１ベクトルの向きと、前記第１注視点から前記第２注視点までの第２ベクトルの向きとの近似度を算出する
処理をコンピュータに実行させるプログラム。
【０１９５】
（付記６）
少なくとも第１オブジェクトを画面内に表示する第１期間におけるユーザの第１注視点を特定し、前記第１期間の後、少なくとも第２オブジェクトを前記画面内に表示する第２期間における前記ユーザの第２注視点を特定する特定部と、
前記第１オブジェクト内の基準点から前記第２オブジェクト内の基準点までの第１ベクトルの向きと、前記第１注視点から前記第２注視点までの第２ベクトルの向きとの近似度を算出する算出部と
を有する評価装置。
【符号の説明】
【０１９６】
１０１  ディスプレイ装置    １０２  スピーカー
１０３  視線センサ装置    ２０１  第１ウィンドウ
２０３  第２ウィンドウ    ２０５  第３ウィンドウ
２０７  第４ウィンドウ    ３０１  交点
３０３  周辺領域    ３０５  第１注視点
３０７  第２注視点    ３０９  第２ベクトル
４０１  基準点    ４０３  基準点
４０５  第１ベクトル    ８０１  情報処理装置
８０３  プレゼンテーション部    ８０５  評価部
８１１  表示処理部    ８１３  音声出力部
８１５  第１通知部    ８１７  第１判定部
８１９  受取部    ８２１  第１受付部
８２３  コンテンツ記憶部    ８３１  制御部
８３３  第２受付部    ８３５  特定部
８３７  算出部    ８３９  第２判定部
８４１  第２通知部    ８４３  出力部
８４５  レイアウト記憶部    ８４７  頻度記憶部
１３０１  範囲
【図１】
2016224142.tif 000003
【図２】
2016224142.tif 000004
【図３】
2016224142.tif 000005
【図４】
2016224142.tif 000006
【図５】
2016224142.tif 000007
【図６】
2016224142.tif 000008
【図７】
2016224142.tif 000009
【図８】
2016224142.tif 000010
【図９Ａ】
2016224142.tif 000011
【図９Ｂ】
2016224142.tif 000012
【図９Ｃ】
2016224142.tif 000013
【図９Ｄ】
2016224142.tif 000014
【図９Ｅ】
2016224142.tif 000015
【図１０】
2016224142.tif 000016
【図１１Ａ】
2016224142.tif 000017
【図１１Ｂ】
2016224142.tif 000018
【図１２】
2016224142.tif 000019
【図１３】
2016224142.tif 000020
【図１４】
2016224142.tif 000021
【図１５Ａ】
2016224142.tif 000022
【図１５Ｂ】
2016224142.tif 000023
【図１６】
2016224142.tif 000024
【図１７Ａ】
2016224142.tif 000025
【図１７Ｂ】
2016224142.tif 000026
【図１７Ｃ】
2016224142.tif 000027
【図１７Ｄ】
2016224142.tif 000028
【図１８】
2016224142.tif 000029
【図１９】
2016224142.tif 000030
【図２０】
2016224142.tif 000031
【図２１】
2016224142.tif 000032
【図２２】
2016224142.tif 000033